(57)【要約】【課題】通信端末の重複ログインの発生を防止することができる監視ネットワークシステムを提供すること。【解決手段】ネットワーク１４０に接続されたネットワークカメラ装置１１０と、ネットワーク１４０に接続されネットワークカメラ装置１１０にログインしてネットワークカメラ装置１１０との通信を開始しネットワークカメラ装置１１０からログアウトしてネットワークカメラ装置１１０との通信を終了する通信端末１２０とを備え、ネットワークカメラ装置１１０が、ログインされた通信端末１２０の情報を管理する通信管理手段１１３と、ログインされた通信端末１２０が正常な作動状態であるか否かを判定する端末状態判定手段１１４と、ログインされた通信端末１２０が正常な作動状態ではないと判定されたときに正常な作動状態ではないと判定された通信端末１２０の代わりにログアウトする代理停止手段１１５とを有する。【選択図】　図１
2004104671.tif 000002
【特許請求の範囲】
【請求項１】
ネットワークに接続されたネットワークカメラ装置と、前記ネットワークに接続され前記ネットワークカメラ装置にログインして通信を開始し前記ネットワークカメラ装置からログアウトして前記通信を終了する通信端末とを備え、前記ネットワークカメラ装置が、ログインされた通信端末が正常な作動状態であるか否かを判定する端末状態判定手段と、ログインされた通信端末が正常な作動状態ではないと判定されたときに正常な作動状態ではないと判定された通信端末の代わりにログアウトする代理停止手段とを有したことを特徴とする監視ネットワークシステム。
【請求項２】
画像を撮像するネットワークカメラ装置と、前記ネットワークカメラ装置とネットワークとに接続された通信制御装置と、前記ネットワークに接続され前記通信制御装置にログインして前記通信制御装置を介した前記ネットワークカメラ装置との通信を開始し前記通信制御装置からログアウトして前記通信を終了する通信端末とを備え、前記通信制御装置が、ログインされた通信端末が正常な作動状態であるか否かを判定する端末状態判定手段と、ログインされた通信端末が正常な作動状態ではないと判定されたときに正常な作動状態ではないと判定された前記通信端末の代わりにログアウトする代理停止手段とを有したことを特徴とする監視ネットワークシステム。
【請求項３】
前記端末状態判定手段が、ログインされた通信端末に応答を要求する応答要求信号を送信し、前記通信端末が、前記応答要求信号に応じた応答信号を前記端末状態判定手段に送信し、前記応答信号が前記応答要求信号に対する正当な信号でないときに、前記端末状態判定手段が、ログインされた通信端末の作動状態が正常ではないと判定するようにしたことを特徴とする請求項１または請求項２に記載の監視ネットワークシステム。
【請求項４】
前記端末状態判定手段が前記応答要求信号を送信してから所定時間が経過しても前記応答信号を受信できない場合に、前記端末状態判定手段が、ログインされた通信端末の作動状態が正常ではないと判定するようにしたことを特徴とする請求項３に記載の監視ネットワークシステム。
【発明の詳細な説明】
【０００１】
【発明の属する技術分野】
本発明は、ネットワークに接続されたカメラと端末を用いて所定の場所を監視する監視ネットワークシステムに関するものである。
【０００２】
【従来の技術】
従来、この種の監視ネットワークシステムとして、特許文献１に開示されたものが知られている。
【０００３】
図４は、従来の監視ネットワークシステムの構成を示すブロック図である。
図４に示す従来の監視ネットワークシステム９００は、画像を撮像するネットワークカメラ装置９１０、ネットワーク９４０に接続されネットワークカメラ装置９１０を制御してネットワークカメラ装置９１０によって撮像された画像を表示する通信端末９２０、およびネットワーク９４０に接続されネットワークカメラ装置９１０と通信端末９２０との通信を制御する通信制御装置９３０によって構成される。
【０００４】
通信端末９２０は、通信制御装置９３０にログインすることによってネットワークカメラ装置９１０との通信が可能となる。
通信制御装置９３０は、ログインされた通信端末９２０によって送信された制御情報に基づいてネットワークカメラ装置９１０の動作を制御し、さらに、ログインされた通信端末９２０にネットワーク９４０を介してネットワークカメラ装置９１０によって撮像された画像のデータを送信するようになっている。
【０００５】
前述のように構成された監視ネットワークシステム９００において、所定の場所に設置されたネットワークカメラ装置９１０によって人物、物体等の遠隔監視が行われる。
【０００６】
【特許文献１】
特開２００２−１５２３０７号公報
【０００７】
【発明が解決しようとする課題】
しかしながら、このような従来の監視ネットワークシステム９００では、通信制御装置９３０にログインしている通信端末９２０に不具合が発生した後に、通信端末９２０が不具合を解消するために再起動を行い、不具合が解消された通信端末９２０が通信制御装置９３０に再びログインすると、通信制御装置９３０には通信端末９２０によるログイン状態が保持されているために、通信端末９２０の重複ログインが発生するという問題があった。
【０００８】
本発明は、このような問題を解決するためになされたもので、通信端末の重複ログインの発生を防止することができる監視ネットワークシステムを提供するものである。
【０００９】
【課題を解決するための手段】
本発明の監視ネットワークシステムは、ネットワークに接続されたネットワークカメラ装置と、前記ネットワークに接続され前記ネットワークカメラ装置にログインして通信を開始し前記ネットワークカメラ装置からログアウトして前記通信を終了する通信端末とを備え、前記ネットワークカメラ装置が、ログインされた通信端末が正常な作動状態であるか否かを判定する端末状態判定手段と、ログインされた通信端末が正常な作動状態ではないと判定されたときに正常な作動状態ではないと判定された通信端末の代わりにログアウトする代理停止手段とを有した構成を有している。
【００１０】
この構成により、ログイン中の通信端末の作動状態を判定し、ログイン中の通信端末の作動状態が正常ではないと判定されたときに、ログイン中の通信端末の代わりにログアウトが行われるため、通信端末の重複ログインの発生を防止することができる。
【００１１】
また、本発明の監視ネットワークシステムは、画像を撮像するネットワークカメラ装置と、前記ネットワークカメラ装置とネットワークとに接続された通信制御装置と、前記ネットワークに接続され前記通信制御装置にログインして前記通信制御装置を介した前記ネットワークカメラ装置との通信を開始し前記通信制御装置からログアウトして前記通信を終了する通信端末とを備え、前記通信制御装置が、ログインされた通信端末が正常な作動状態であるか否かを判定する端末状態判定手段と、ログインされた通信端末が正常な作動状態ではないと判定されたときに正常な作動状態ではないと判定された前記通信端末の代わりにログアウトする代理停止手段とを有した構成を有している。
【００１２】
この構成により、ログイン中の通信端末の作動状態が正常ではないと判定されたときに、ログイン中の通信端末の代わりにログアウトが行われるため、通信端末の重複ログインの発生を防止することができ、さらに、通信制御装置によって複数のネットワークカメラ装置と複数の通信端末との通信を一括して管理するため、複数のネットワークカメラ装置との通信を行っていた通信端末に不具合が発生しても、一度の処理で不具合が発生した通信端末をログアウトさせることができる。
【００１３】
また、本発明の監視ネットワークシステムは、前記端末状態判定手段が、ログインされた通信端末に応答を要求する応答要求信号を送信し、前記通信端末が、前記応答要求信号に応じた応答信号を前記端末状態判定手段に送信し、前記応答信号が前記応答要求信号に対する正当な信号でないときに、前記端末状態判定手段が、ログインされた通信端末の作動状態が正常ではないと判定するようにした構成を有している。
【００１４】
この構成により、判定信号に基づいてログイン中の通信端末の作動状態を判定し、ログイン中の通信端末の作動状態が正常ではないと判定されたときに、ログイン中の通信端末の代わりにログアウトが行われるため、通信端末の重複ログインの発生を防止することができる。
【００１５】
また、本発明の監視ネットワークシステムは、前記端末状態判定手段が前記応答要求信号を送信してから所定時間が経過しても前記応答信号を受信できない場合に、前記端末状態判定手段が、ログインされた通信端末の作動状態が正常ではないと判定するようにした構成を有している。
【００１６】
この構成により、判定信号を送信してから所定時間が経過しても返答信号を受信できない場合に、ログイン中の通信端末の代わりにログアウトが行われるため、通信端末の重複ログインの発生を防止することができる。
【００１７】
【発明の実施の形態】
以下、本発明の実施の形態について、図面を参照して説明する。
（第１の実施の形態）
図１は、本発明の第１の実施の形態の監視ネットワークシステムの構成を示すブロック図である。
監視ネットワークシステム１００は、ネットワーク１４０に接続されたネットワークカメラ装置１１０、およびネットワーク１４０に接続されネットワークカメラ装置１１０にログインしてネットワークカメラ装置１１０との通信を開始しネットワークカメラ装置１１０からログアウトしてネットワークカメラ装置１１０との通信を終了する通信端末１２０によって構成される。
ここで、監視ネットワークシステム１００は、複数の通信端末１２０によって構成されてもよい。
【００１８】
なお、ネットワーク１４０は、例えば、インターネットや建物の内部ネットワーク等で構成され、ネットワークカメラ装置１１０および通信端末１２０は、ネットワーク１４０の規約に準拠しているものとする。
【００１９】
ネットワークカメラ装置１１０は、画像を撮像する撮像手段１１１、通信端末１２０との通信を制御する通信制御手段１１２、ログインされた通信端末１２０の情報を管理する通信管理手段１１３、ログインされた通信端末１２０が正常な作動状態であるか否かを判定する端末状態判定手段１１４、ログインされた通信端末１２０が正常な作動状態ではないと判定されたときに通信端末１２０の代わりにログアウトする代理停止手段１１５によって構成される。
【００２０】
撮像手段１１１は、ネットワーク１４０および通信制御手段１１２を介して通信端末１２０によって送信されたカメラ操作情報を受信し、受信されたカメラ操作情報に基づいて画像を撮像して画像データを生成し、生成された画像データを通信制御手段１１２およびネットワーク１４０を介して通信端末１２０に送信するようになっている。
【００２１】
なお、撮像手段１１１は、生成された画像の画像データを所定の方法で圧縮または符号化してから通信端末１２０に送信するようになっていてもよい。
ここで、カメラ操作情報とは、撮像手段１１１が画像を撮像する方向、倍率などを制御するための情報である。
【００２２】
通信制御手段１１２は、通信端末１２０によって送信されたログイン処理情報を受信し、受信されたログイン処理情報に基づいてネットワークカメラ装置１１０との通信の許可を通信端末１２０に与えるか否かを判定し、ネットワークカメラ装置１１０との通信の許可を通信端末１２０に与えてもよいと判定されたときには、通信が許可されたことを示す通信許可情報を生成し、生成された通信許可情報を通信端末１２０に送信し、ネットワークカメラ装置１１０と通信端末１２０との通信を開始するようになっている。
【００２３】
また、通信制御手段１１２は、通信端末１２０に通信許可を与えてネットワークカメラ装置１１０と通信端末１２０との通信が開始されたときに、ネットワークカメラ装置１１０と通信端末１２０との通信が開始されたことを示す通信開始情報を生成し、生成された通信開始情報を通信管理手段１１３に出力するようになっている。
【００２４】
また、通信制御手段１１２は、通信端末１２０によって送信されたカメラ操作情報を受信し、受信されたカメラ操作情報を撮像手段１１１に出力するようになっている。
また、通信制御手段１１２には、撮像手段１１１によって出力された画像データが入力されるようになっており、通信制御手段１１２は、入力された画像データをネットワーク１４０を介して通信端末１２０に送信するようになっている。
【００２５】
また、通信制御手段１１２には、端末状態判定手段１１４によって出力された応答要求信号が入力されるようになっており、通信制御手段１１２は、入力された応答要求信号をネットワーク１４０を介して通信端末１２０に送信するようになっている。
また、通信制御手段１１２は、通信端末１２０によって送信された応答信号を受信し、受信された応答信号を端末状態判定手段１１４に出力するようになっている。
【００２６】
また、通信制御手段１１２は、通信端末１２０によって送信されたログアウト処理情報を受信し、受信されたログアウト処理情報に基づいて通信端末１２０との通信が終了したことを示す通信終了情報を生成し、生成された通信終了情報を通信管理手段１１３に出力し、生成された通信終了情報を通信端末１２０にネットワーク１４０を介して送信するようになっている。
【００２７】
さらに、通信制御手段１１２は、代理停止手段１１５によって出力されたログアウト処理情報に基づいて通信端末１２０との通信を終了し、通信端末１２０との通信が終了したことを示す通信終了情報を生成し、生成された通信終了情報を通信管理手段１１３に出力するようになっている。
【００２８】
なお、通信制御手段１１２は、代理停止手段１１５によって出力されたログアウト処理情報に基づいて通信端末１２０との通信を終了したときに、生成された通信終了情報を通信端末１２０にネットワーク１４０を介して送信するようになっていてもよい。
【００２９】
通信管理手段１１３には、通信制御手段１１２によって出力された通信開始情報が入力されるようになっており、通信管理手段１１３は、入力された通信開始情報に基づいてネットワークカメラ装置１１０と通信を行っている通信端末１２０の情報を示す通信中端末情報を生成し、生成された通信中端末情報を格納するようになっている。
【００３０】
また、通信管理手段１１３には、通信制御手段１１２によって出力された通信終了情報が入力されるようになっており、通信管理手段１１３は、入力された通信終了情報に応じて格納されている通信中端末情報を削除するようになっている。
【００３１】
端末状態判定手段１１４は、通信管理手段１１３に格納された通信中端末情報に基づいて通信端末１２０に応答を要求する応答要求信号を通信制御手段１１２およびネットワーク１４０を介してネットワークカメラ装置１１０と通信を行っている通信端末１２０に所定の時間間隔で送信するようになっている。
【００３２】
また、端末状態判定手段１１４には、通信端末１２０によって応答要求信号に応じて送信された応答信号が通信制御手段１１２を介して入力されるようになっており、入力された応答信号に応じて通信端末１２０の作動状態が正常か否かを判定し、通信端末１２０の作動状態が正常ではないと判定されたときには通信端末１２０の作動状態が正常でないことを示すエラー状態情報を生成し、生成されたエラー状態情報を代理停止手段１１５に出力するようになっている。
【００３３】
ここで、通信端末１２０が正常な作動状態であるか否かの判定は、端末状態判定手段１１４によって応答要求信号が送信されてから予め設定された所定時間が経過するまでに応答信号を受信できたか否かに基づいて行われるようになっており、端末状態判定手段１１４によって応答要求信号が送信されてから予め設定された所定時間が経過するまでに応答信号を受信できなかった場合に、通信端末１２０が正常な作動状態でないと判定される。
【００３４】
さらに、通信端末１２０が正常な作動状態であるか否かの判定は、端末状態判定手段１１４によって応答要求信号が送信されてから予め設定された所定時間が経過するまでに応答信号を受信できた場合に、応答信号が応答要求信号に対する正当な信号であるか否かに基づいて行われるようになっており、応答信号が応答要求信号に対する正当な信号である場合には、通信端末１２０が正常な作動状態であると判定され、応答信号が応答要求信号に対する正当な信号でない場合には、通信端末１２０が正常な作動状態ではないと判定される。
【００３５】
代理停止手段１１５には、端末状態判定手段１１４によって出力されたエラー状態情報が入力されるようになっており、代理停止手段１１５は、入力されたエラー状態情報に基づいて作動状態が正常ではないと判定された通信端末１２０の代わりに通信制御手段１１２にログアウト処理情報を出力するようになっている。
【００３６】
通信端末１２０は、ディスプレイ、キーボードおよびマウスを備えたパーソナルコンピュータ等によって構成され、撮像手段１１１を操作するためのプログラムを有している。
通信端末１２０は、ネットワークカメラ装置１１０にログインするときに、ユーザにユーザ名およびパスワードを入力させ、入力されたユーザ名およびパスワードに基づいてログイン処理情報を生成し、生成されたログイン処理情報をネットワーク１４０を介してネットワークカメラ装置１１０に送信し、さらに、ネットワークカメラ装置１１０によってネットワーク１４０を介して送信された通信許可情報を受信するようになっている。
【００３７】
また、通信端末１２０は、ユーザにキーボードおよびマウスを用いてネットワークカメラ装置１１０の操作情報を入力させ、入力された操作情報に基づいてカメラ操作情報を生成し、生成されたカメラ操作情報をネットワーク１４０を介してネットワークカメラ装置１１０に送信するようになっている。
【００３８】
また、通信端末１２０は、ネットワークカメラ装置１１０によって送信された画像データをネットワーク１４０を介して受信し、受信された画像データに基づいて画像をディスプレイに表示するようになっている。
【００３９】
また、通信端末１２０は、ネットワークカメラ装置１１０によって送信された応答要求信号を受信し、受信された応答要求信号に応じて応答信号を生成し、生成された応答信号をネットワークカメラ装置１１０にネットワーク１４０を介して送信するようになっている。
【００４０】
また、通信端末１２０は、ネットワークカメラ装置１１０からログアウトするときに、ユーザによるログアウトの要求に応じてログアウト処理情報を生成し、生成されたログアウト処理情報をネットワークカメラ装置１１０にネットワーク１４０を介して送信し、さらに、ネットワークカメラ装置１１０によってネットワーク１４０を介して送信された通信終了情報を受信し、受信された通信終了情報に基づいて通信が終了したことをディスプレイに表示するようになっている。
【００４１】
以下、本発明の第１の実施の形態の監視ネットワークシステムの動作について説明する。
監視ネットワークシステム１００において、通信端末１２０の作動状態を判定する判定処理、および通信端末１２０と撮像手段１１１との通信によって行われる撮像処理は並行して行われる。
図２は、本発明の第１の実施の形態の監視ネットワークシステムの判定処理の流れを示すフローチャートである。
最初に、図２を参照して、監視ネットワークシステム１００の判定処理について説明する。
【００４２】
まず、通信端末１２０によってネットワークカメラ装置１１０にログインされ、ログインに応じて通信制御手段１１２によって通信許可情報が通信端末１２０に送信され、通信開始情報が通信管理手段１１３に出力されて通信が開始される（Ｓ２１０）。ここで、通信管理手段１１３によって通信開始情報に基づいた通信中端末情報が生成され格納される。
次に、端末状態判定手段１１４によって応答要求信号が送信され、通信端末１２０によって応答要求信号に応じて生成され送信された応答信号に基づいて通信端末１２０の作動状態が判定される（Ｓ２２０）。
【００４３】
通信端末１２０の作動状態が正常ではないと判定されたときに（Ｓ２３０）、代理停止手段１１５によって通信端末１２０の代わりにログアウトされ（Ｓ２４０）、通信制御手段１１２によってネットワークカメラ装置１１０と通信端末１２０との通信が終了され、通信制御手段１１２によって通信終了情報が通信管理手段１１３に入力され、通信管理手段１１３によって格納されている通信中端末情報が削除される。
【００４４】
一方、通信端末１２０の作動状態が正常であると判定されたときには（Ｓ２３０）、通信端末１２０によってログアウト処理情報が送信されていない場合に（Ｓ２５０）、再び通信端末１２０の作動状態が判定され、通信端末１２０によってログアウト処理情報が送信された場合に（Ｓ２５０）、通信制御手段１１２によってネットワークカメラ装置１１０と通信端末１２０との通信が終了され、通信制御手段１１２によって通信終了情報が通信管理手段１１３に入力され、通信管理手段１１３によって格納されている通信中端末情報が削除される。
【００４５】
次に、監視ネットワークシステム１００の撮像処理について説明する。
まず、ユーザによって通信端末１２０にネットワークカメラ装置１１０の操作情報が入力され、通信端末１２０によってカメラ操作情報が生成され、生成されたカメラ操作情報がネットワーク１４０を介してネットワークカメラ装置１１０に送信される。
【００４６】
次に、撮像手段１１１によってカメラ操作情報に応じて画像が撮像され画像データが生成され、生成された画像データが通信制御手段１１２に入力され、画像データが通信制御手段１１２によってネットワーク１４０を介して通信端末１２０に送信され、通信端末１２０によって画像データに基づいた画像がディスプレイに表示される。
なお、通信端末１２０がネットワークカメラ装置１１０にログインしている間、撮像処理は繰り返される。
【００４７】
以上説明したように、本発明の第１の実施の形態の監視ネットワークシステムは、ログイン中の通信端末の作動状態を判定し、ログイン中の通信端末の作動状態が正常ではないと判定されたときに、ログイン中の通信端末の代わりにログアウトが行われるため、通信端末の重複ログインの発生を防止することができる。
【００４８】
（第２の実施の形態）
図３は、本発明の第２の実施の形態の監視ネットワークシステムの構成を示すブロック図である。
監視ネットワークシステム３００は、画像を撮像する第１のネットワークカメラ装置３１６、第２のネットワークカメラ装置３１７、第３のネットワークカメラ装置３１８、ネットワーク３４０に接続され第１のネットワークカメラ装置３１６、第２のネットワークカメラ装置３１７および第３のネットワークカメラ装置３１８とネットワーク３４０との通信を制御する通信制御装置３３０、ネットワーク３４０に接続され通信制御装置３３０にログインして通信制御装置３３０を介して第１のネットワークカメラ装置３１６、第２のネットワークカメラ装置３１７および第３のネットワークカメラ装置３１８の何れかとの通信を開始し通信制御装置３３０からログアウトして第１のネットワークカメラ装置３１６、第２のネットワークカメラ装置３１７および第３のネットワークカメラ装置３１８との通信を終了する第１の通信端末３２１、第２の通信端末３２２、第３の通信端末３２３によって構成される。
【００４９】
なお、以下の説明において、第１のネットワークカメラ装置３１６、第２のネットワークカメラ装置３１７および第３のネットワークカメラ装置３１８を複数のネットワークカメラ装置３１０と呼び、第１の通信端末３２１、第２の通信端末３２２および第３の通信端末３２３を複数の通信端末３２０と呼ぶ。
【００５０】
また、ネットワーク３４０は、例えば、インターネットや建物の内部ネットワーク等で構成され、通信制御装置３３０および各通信端末は、ネットワーク３４０の規約に準拠しているものとする。
【００５１】
また、本発明の第２の実施の形態において、３つのネットワークカメラ装置によって監視ネットワークシステム３００が構成されているが、監視ネットワークシステム３００を構成するネットワークカメラ装置の数は、これに限定されるものではない。
【００５２】
また、本発明の第２の実施の形態において、３つの通信端末によって監視ネットワークシステム３００が構成されているが、監視ネットワークシステム３００を構成する通信端末の数は、これに限定されるものではない。
【００５３】
複数のネットワークカメラ装置３１０のそれぞれは、通信制御装置３３０によって送信されたカメラ操作情報を受信し、受信されたカメラ操作情報に基づいて画像を撮像し、撮像された画像の画像データを通信制御装置３３０に送信するようになっている。
【００５４】
なお、複数のネットワークカメラ装置３１０のそれぞれは、撮像された画像の画像データを所定の方法で圧縮または符号化してから通信制御装置３３０に出力するようになっているのでもよい。
ここで、カメラ操作情報とは、各ネットワークカメラ装置が画像を撮像する方向、倍率などを制御するための情報のことで、カメラ操作情報には、カメラ操作情報が複数の通信端末３２０のうちの何れの通信端末によって送信されたかを判別するための情報が含まれているものとする。
【００５５】
また、画像データには、画像データが複数のネットワークカメラ装置３１０のうちの何れのネットワークカメラ装置によって送信されたかを判別するための情報が含まれているものとする。
【００５６】
通信制御装置３３０は、複数のネットワークカメラ装置３１０と複数の通信端末３２０との通信を制御する通信制御手段３３１、ログインされた通信端末の情報を管理する通信管理手段３３２、ログインされた通信端末が正常な作動状態であるか否かを判定する端末状態判定手段３３３、ログインされた通信端末が正常な作動状態ではないと判定されたときに正常な作動状態ではないと判定された通信端末の代わりにログアウトする代理停止手段３３４によって構成される。
【００５７】
通信制御手段３３１は、複数の通信端末３２０によって送信されたログイン処理情報を受信するようになっている。
ここで、ログイン処理情報には、ログイン処理情報が複数の通信端末３２０のうちの何れの通信端末によって送信されたかを判別するための情報が含まれており、さらに、複数のネットワークカメラ装置３１０のうちの何れのネットワークカメラ装置との通信許可を要求しているかの情報が含まれているものとする。
また、ログイン処理情報には、複数のネットワークカメラ装置３１０のうちの２以上のネットワークカメラ装置との通信許可の要求が含まれていてもよい。
【００５８】
また、通信制御手段３３１は、ログイン処理情報に基づいてログイン処理情報を送信した通信端末のログインを許可するか否かの判定を行い、通信制御装置３３０へのログインを許可すると判定されたときには、通信制御装置３３０へのログインが許可されたことを示す通信許可情報を生成し、生成された通信許可情報をログイン処理情報を送信した通信端末に送信するようになっている。
【００５９】
また、通信制御手段３３１は、ログイン処理情報に基づいて複数のネットワークカメラ装置３１０の何れかと複数の通信端末３２０の何れかとの通信が開始されたことを示す通信開始情報を生成し、生成された通信開始情報を通信管理手段３３２に出力するようになっている。
なお、通信開始情報は、複数のネットワークカメラ装置３１０の何れかと複数の通信端末３２０の何れかとの通信が開始されるごとに出力されるようになっている。
【００６０】
また、通信制御手段３３１は、複数の通信端末３２０の何れかによって送信されたカメラ操作情報をネットワーク３４０を介して受信し、受信されたカメラ操作情報を通信管理情報に基づいて複数のネットワークカメラ装置３１０の何れかに入力するようになっている。
【００６１】
ここで、通信管理情報とは、通信管理手段３３２によって通信開始情報に基づいて生成されたものであり、通信管理情報には、各通信端末が複数のネットワークカメラ装置３１０の何れと通信しているかについての情報が含まれているものとする。
【００６２】
また、通信制御手段３３１には、複数のネットワークカメラ装置３１０の何れかによって出力された画像データが入力されるようになっており、通信制御手段３３１は、入力された画像データを通信管理情報に基づいてネットワーク３４０を介して複数の通信端末３２０の何れかに送信するようになっている。
【００６３】
また、通信制御手段３３１には、端末状態判定手段３３３によって出力された応答要求信号が入力されるようになっており、通信制御手段３３１は、入力された応答要求信号を通信管理情報に基づいて複数の通信端末３２０の何れかにネットワーク３４０を介して送信するようになっている。
【００６４】
また、通信制御手段３３１は、複数の通信端末３２０の何れかによってネットワーク３４０を介して送信された応答信号を受信し、受信された応答信号を端末状態判定手段３３３に出力するようになっている。
【００６５】
また、通信制御手段３３１は、複数の通信端末３２０のうちの何れかによって送信されたログアウト処理情報を受信し、受信されたログアウト処理情報に基づいて通信終了情報を生成し、生成された通信終了情報を通信管理手段３３２に出力し、生成された通信終了情報をネットワーク３４０を介してログアウト処理情報を送信した通信端末に送信するようになっている。
【００６６】
なお、ログアウト処理情報には、ログアウト処理情報が複数の通信端末３２０のうちの何れの通信端末によって送信されたかを判別するための情報が含まれているものとする。
また、通信終了情報には、ログアウトされた通信端末を示す情報が含まれている。
【００６７】
さらに、通信制御手段３３１は、代理停止手段３３４によって出力された代理ログアウト処理情報に基づいて通信終了情報を生成し、生成された通信終了情報を通信管理手段３３２に出力するようになっている。
なお、代理ログアウト処理情報には、作動状態が正常ではないと判定された通信端末に関する情報が含まれている。
【００６８】
通信管理手段３３２には、通信制御手段３３１によって出力された通信開始情報が入力されるようになっており、通信管理手段３３２は、入力された通信開始情報に基づいて複数のネットワークカメラ装置３１０と通信を行っている複数の通信端末３２０の情報を示す通信管理情報を生成し、生成された通信管理情報を格納するようになっている。
【００６９】
また、通信管理手段３３２には、通信制御手段３３１によって出力された通信終了情報が入力されるようになっており、通信管理手段３３２は、入力された通信終了情報に応じて格納されている通信管理情報の中からログアウトを行った通信端末に関する通信管理情報を削除するようになっている。
【００７０】
端末状態判定手段３３３には、通信管理手段３３２に格納された通信管理情報に基づいて複数の通信端末３２０のうち通信制御装置３３０にログイン中の通信端末に応答を要求する応答要求信号を通信制御手段３３１およびネットワーク３４０を介して所定の時間間隔で送信するようになっている。
【００７１】
また、端末状態判定手段３３３には、ログイン中の通信端末によって応答要求信号に応じて送信された応答信号が通信制御手段３３１を介して入力されるようになっており、入力された応答信号に応じてログイン中の通信端末の作動状態が正常か否かを判定し、ログイン中の通信端末の作動状態が正常ではないと判定されたときには、作動状態が正常ではない通信端末に関する情報を示すエラー端末情報を生成し、生成されたエラー端末情報を代理停止手段３３４に出力するようになっている。
【００７２】
なお、各通信端末によって送信される応答信号には、応答信号が複数の通信端末３２０のうちの何れの通信端末によって送信されたかを判別するための情報が含まれているものとする。
【００７３】
ここで、ログイン中の通信端末が正常な作動状態であるか否かの判定は、端末状態判定手段３３３によって応答要求信号が送信されてから予め設定された所定時間が経過するまでに応答信号を受信できたか否かに基づいて行われるようになっており、端末状態判定手段３３３によって応答要求信号が送信されてから予め設定された所定時間が経過するまでに応答信号を受信できなかった場合に、ログイン中の通信端末が正常な作動状態でないと判定される。
【００７４】
さらに、ログイン中の通信端末が正常な作動状態であるか否かの判定は、端末状態判定手段３３３によって応答要求信号が送信されてから予め設定された所定時間が経過するまでに応答信号を受信できた場合に、応答信号が応答要求信号に対する正当な信号であるか否かに基づいて行われるようになっており、応答信号が応答要求信号に対する正当な信号である場合には、ログイン中の通信端末が正常な作動状態であると判定され、応答信号が応答要求信号に対する正当な信号でない場合には、ログイン中の通信端末が正常な作動状態ではないと判定される。
【００７５】
代理停止手段３３４には、端末状態判定手段３３３によって出力されたエラー端末情報が入力されるようになっており、代理停止手段３３４は、入力されたエラー端末情報に基づいて代理ログアウト情報を生成し、生成された代理ログアウト処理情報を通信制御手段３３１に出力するようになっている。
【００７６】
複数の通信端末３２０のそれぞれは、ディスプレイ、キーボードおよびマウスを備えたパーソナルコンピュータ等によって構成され、複数のネットワークカメラ装置３１０を操作するためのプログラムを有している。
【００７７】
複数の通信端末３２０のそれぞれは、通信制御装置３３０にログインするときに、ユーザにユーザ名およびパスワードを入力させ、入力されたユーザ名およびパスワードに基づいてログイン処理情報を生成し、生成されたログイン処理情報をネットワーク３４０を介して通信制御装置３３０に送信し、さらに、通信制御装置３３０によってネットワーク３４０を介して送信された通信許可情報を受信するようになっている。
【００７８】
また、複数の通信端末３２０のそれぞれは、ユーザにキーボードおよびマウスを用いて複数のネットワークカメラ装置３１０の操作情報を入力させ、入力された操作情報に基づいてカメラ操作情報を生成し、生成されたカメラ操作情報を通信制御装置３３０に送信するようになっている。
【００７９】
また、複数の通信端末３２０のそれぞれは、複数のネットワークカメラ装置３１０によって撮像され生成された画像データを通信制御装置３３０およびネットワーク３４０を介して受信し、受信された画像データに基づいた画像をディスプレイに表示するようになっている。
また、複数の通信端末３２０のそれぞれは、通信制御装置３３０によって送信された応答要求信号を受信し、受信された応答要求信号に応じて応答信号を生成し、生成された応答信号を通信制御装置３３０にネットワーク３４０を介して送信するようになっている。
【００８０】
また、複数の通信端末３２０のそれぞれは、通信制御装置３３０からログアウトするときに、ユーザのログアウト要求に応じたログアウト処理情報を生成し、生成されたログアウト処理情報を通信制御装置３３０にネットワーク３４０を介して送信し、さらに、通信制御装置３３０によってネットワーク３４０を介して送信された通信終了情報を受信し、受信された通信終了情報に基づいて通信が終了したことをディスプレイに表示するようになっている。
【００８１】
以下、本発明の第２の実施の形態の監視ネットワークシステムの動作について説明する。
監視ネットワークシステム３００において、通信制御装置３３０にログイン中の通信端末の作動状態を判定する判定処理、および通信端末とネットワークカメラ装置との通信によって行われる撮像処理は並行して行われる。
最初に、監視ネットワークシステム３００の判定処理について、第１の通信端末３２１が通信制御装置３３０にログインを行った場合を例に説明する。
【００８２】
まず、第１の通信端末３２１によって通信制御装置３３０にログインが行われ、ログインに応じて通信制御手段３３１によって通信許可情報が第１の通信端末３２１に送信され、通信開始情報が通信管理手段３３２に出力されて通信が開始される。なお、通信管理手段３３２によって通信開始情報に基づいた通信管理情報が生成され格納される。
次に、端末状態判定手段３３３によって応答要求信号が送信され、第１の通信端末３２１によって応答要求信号に応じて生成され送信された応答信号に基づいて第１の通信端末３２１の作動状態が判定される。
【００８３】
第１の通信端末３２１の作動状態が正常ではないと判定されたときに、代理停止手段３３４によって第１の通信端末３２１の代わりにログアウトされ、通信制御手段３３１によって通信制御装置３３０と複数の通信端末３２０との通信が終了され、通信制御手段３３１によって通信終了情報が通信管理手段３３２に入力され、通信管理手段３３２によって複数の通信端末３２０に関する通信管理情報が削除される。
【００８４】
一方、第１の通信端末３２１の作動状態が正常であると判定されたときには、第１の通信端末３２１によってログアウト処理情報が送信されていない場合に、再び第１の通信端末３２１の作動状態が判定され、第１の通信端末３２１によってログアウト処理情報が送信されている場合には、通信制御手段３３１によって通信終了情報が通信管理手段３３２に入力され、通信管理手段３３２によって通信中端末情報が削除される。
【００８５】
次に、監視ネットワークシステム３００の撮像処理について、第１の通信端末３２１が通信制御装置３３０にログインして、第１のネットワークカメラ装置３１６と第１の通信端末３２１との通信が行われている場合を例に説明する。
まず、ユーザによって第１の通信端末３２１に第１のネットワークカメラ装置３１６の操作情報が入力され、第１のネットワークカメラ装置３１６によってカメラ操作情報が生成され、生成されたカメラ操作情報がネットワーク３４０を介して通信制御装置３３０に送信される。
【００８６】
次に、通信制御装置３３０によって通信管理情報に基づいてカメラ操作情報が第１のネットワークカメラ装置３１６に入力され、第１のネットワークカメラ装置３１６によってカメラ操作情報に応じて画像が撮像され画像データが生成され、生成された画像データが通信制御装置３３０に入力される。
通信制御装置３３０に画像データが入力されたときに、通信制御装置３３０によって通信管理情報に基づいて画像データがネットワーク３４０を介して第１の通信端末３２１に送信され、第１の通信端末３２１によって画像データに基づいた画像がディスプレイに表示される。
なお、第１の通信端末３２１が通信制御装置３３０にログインしている間、撮像処理は繰り返される。
【００８７】
以上説明したように、本発明の第２の実施の形態の監視ネットワークシステムは、ログイン中の通信端末の作動状態を判定し、ログイン中の通信端末の作動状態が正常ではないと判定されたときに、ログイン中の通信端末の代わりにログアウトが行われるため、通信端末の重複ログインの発生を防止することができ、さらに、通信制御装置によって複数のネットワークカメラ装置と複数の通信端末との通信を一括して管理するため、複数のネットワークカメラ装置との通信を行っていた通信端末の内部に不具合が発生しても、一度の処理で内部に不具合が発生した通信端末をログアウトさせることができる。
【００８８】
【発明の効果】
以上説明したように、本発明は、通信端末の重複ログインの発生を防止することができる監視ネットワークシステムを提供することができるものである。
【図面の簡単な説明】
【図１】本発明の第１の実施の形態の監視ネットワークシステムの構成を示すブロック図
【図２】本発明の第１の実施の形態の監視ネットワークシステムの判定処理の流れを示すフローチャート
【図３】本発明の第２の実施の形態の監視ネットワークシステムの構成を示すブロック図
【図４】従来の監視ネットワークシステムの構成を示すブロック図
【符号の説明】
１００、３００、９００　監視ネットワークシステム
１１０、９１０　ネットワークカメラ装置
１１１　撮像手段
１１２、３３１　通信制御手段
１１３、３３２　通信管理手段
１１４、３３３　端末状態判定手段
１１５、３３４　代理停止手段
１２０、９２０　通信端末
１４０、３４０、９４０　ネットワーク
３１０　複数のネットワークカメラ装置
３１６　第１のネットワークカメラ装置
３１７　第２のネットワークカメラ装置
３１８　第３のネットワークカメラ装置
３２０　複数の通信端末
３２１　第１の通信端末
３２２　第２の通信端末
３２３　第３の通信端末
３３０、９３０　通信制御装置
【図１】
2004104671.tif 000003
【図２】
2004104671.tif 000004
【図３】
2004104671.tif 000005
【図４】
2004104671.tif 000006